(57)【要約】  本発明は超小型スクリーンから発射される画像を形成する光信号を、バーチャル画像として観られるようにユーザの目に向かって伝達する光電子的表示装置に関し、ソース画像をＮ個のスクリーンサブ画像に分割する表示制御装置を有する超小型スクリーン制御装置を備え、出口用小窓を有しＮ個のスクリーンサブ画像を互いに空間的にずれ、Ｎによって分割された目の網膜の残像時間をＮで割った時間より短い期間で互いに時間的にシフトして伝達するように働くモザイク装置を備え、各スクリーンサブ画像はバーチャルサブ画像として観られるように前記出口用小窓を介して着用者の目に向かって運ばれ、Ｎ個の得られた隣接するバーチャルサブ画像は一緒になって前記バーチャル画像を全体として形成し、前記モザイク装置は偏光制御素子とバーチャル画像を生成するための画像の空間的再構成素子とを含む。【選択図】  図３Ａ
2010510551.tif 000002
【特許請求の範囲】
【請求項１】
超小型スクリーン（２）から発射される画像を形成する、スクリーン画像と呼ばれる光信号を、バーチャル画像（Ｉ）を観ることを可能にするようにユーザの目（Ｏ）に向かって伝達する光電子的表示装置であって、
ソース画像をＮ個のスクリーンサブ画像（ＩＥ）に分割する表示制御装置（ＤＣＡ）を有する超小型スクリーン制御装置（ＤＣ）を備え、且つ、
出口用小窓（１０）を有し、前記Ｎ個のスクリーンサブ画像を、互いに空間的にずれ（ｏｆｆｓｅｔ）、目の網膜の残像時間をＮで割った時間より短い期間（τ）ごとに互いに時間的にシフト（ｓｈｉｆｔ）して伝達するように働くモザイク装置（３）を備えており、
各スクリーンサブ画像（ＩＥ）は、バーチャルサブ画像（ＩＮ）として観られるように前記出口用小窓を介して着用者の目に向かって運ばれ、Ｎ個の得られた隣接するバーチャルサブ画像は一緒になって、前記バーチャル画像（Ｉ）を全体として形成し、
前記モザイク装置（３）は、偏光制御素子（５）と、バーチャル画像（Ｉ）を生成するための、画像の空間的再構成素子（７）とによって構成され、
さらに、前記モザイク装置は、可視領域内で透明である材料の光パイプ（６）を含み、前記光パイプは前記偏光制御素子（５）と、前記、画像の空間的再構成素子（７）との間に配置されていることを特徴とする装置。
【請求項２】
前記モザイク装置（３）は、前記超小型スクリーン（２）と着用者の目（Ｏ）の間に配置されていることを特徴とする、請求項１に記載の光電子的表示装置。
【請求項３】
前記、画像の空間的再構成素子は、前記超小型スクリーンのなす平面に垂直な前記超小型スクリーンの中心からの直線であると規定された基準光軸に対して異なる位置に互いに偏心した少なくとも２つのミラー（７Ｄ、７Ｅ）と、少なくとも１つの偏光分離処理板（７Ａ）と、少なくとも２つの四分の一波板（７Ｂ、７Ｃ）とを備えていることを特徴とする、請求項１又は２に記載の光電子的表示装置。
【請求項４】
前記偏光分離処理板の少なくとも１つは、グリッド偏光板であることを特徴とする、請求項３に記載の光電子的表示装置。
【請求項５】
さらに、少なくとも１つの光ガイド（１）を備え、前記光ガイドは、入口用瞳孔を含む瞳孔拡張型光ガイドであり、前記モザイク装置と着用者の目の間に配置されていることを特徴とする、請求項１乃至４のいずれかに記載の装置。
【請求項６】
前記光ガイド（１）は、着用者の眼鏡用レンズ（Ｖ）内に収容されていることを特徴とする、請求項５に記載の光電子的表示装置。
【請求項７】
前記モザイク装置からの出口用小窓（１０）が、前記光ガイド（１）の入口用瞳孔と対応するように配置されていることを特徴とする、請求項５又は請求項６に記載の装置。
【請求項８】
Ｎは２であり、前記偏光制御素子（５）は、実質的に前記目の網膜の残像時間をＮで割った時間より短い期間（τ）ごとに、Ｐ偏光ベクトル及びＳ偏光ベクトルに合わせて交互に前記超小型スクリーンからの光ビームを偏光させることを特徴とする、請求項１乃至７のいずれかに記載の光電子的表示装置。
【請求項９】
前記光パイプ（６）は、傾斜した偏光分離処理板（７Ａ）と、前記偏光分離処理板に関連する２つの四分の一波板であって、前記四分の一波板のなす平面内においてＰ又はＳ偏光ベクトルの方向に対して４５°の角度を形成する遅延軸を備えた四分の一波板（７Ｂ、７Ｃ）とを有することを特徴とする、請求項１乃至８のいずれかに記載の装置。
【請求項１０】
前記分離処理板（７Ａ）は、前記超小型スクリーンのなす平面に対して垂直な前記超小型スクリーンの中心からの直線であると規定された基準光軸に対して４５°に傾斜しており、２つの四分の一波板（７Ｃ、７Ｄ）は前記基準光軸に対して垂直であることを特徴とする、請求項９に記載の光電子的表示装置。
【請求項１１】
前記偏光制御素子（５）は、電気制御液晶セルを備えていることを特徴とする、請求項１乃至１０のいずれかに記載の光電子的表示装置。
【請求項１２】
前記超小型スクリーン（２）及び前記偏光制御素子（５）は、単一のアセンブリ部品を形成することを特徴とする、請求項１１に記載の光電子的表示装置。
【請求項１３】
前記バーチャルサブ画像（ＩＮ）は、インターレース構成であることを特徴とする、請求項１乃至１２のいずれかに記載の光電子的表示装置。
【請求項１４】
前記偏光制御素子（５）は、インターレース電極（Ｅ１、Ｅ２）を有することを特徴とする、請求項１３に記載の光電子的表示装置。
【請求項１５】
前記超小型スクリーン制御装置（ＤＣ）は、さらに、前記スクリーンサブ画像の位置を再設定する補償回路（ＣＣ）を備えており、前記再設定は調節ベンチ（Ｂ）上のキャリブレーションによって規定されることを特徴とする、請求項１乃至１４のいずれかに記載の光電子的表示装置。
【請求項１６】
前記超小型スクリーン（２）は、その上に生成されるスクリーンサブ画像（ＩＥ）のサイズより大きいサイズの画像を表示できる画素を含んだ領域を呈することを特徴とする、請求項１５に記載の光電子的表示装置。
【請求項１７】
前記超小型スクリーン制御装置（ＤＣ）は、ソース画像をＮ分割して得た前記スクリーンサブ画像に予めアドレス指定する装置を備えていることを特徴とする、請求項１乃至１６のいずれかに記載の光電子的表示装置。
【請求項１８】
前記補償回路において前記再設定用のデータを記憶するメモリ装置は、冗長性、及びエラー修正システムを有することを特徴とする、請求項１５乃至１７のいずれかに記載の光電子的表示装置。
【発明の詳細な説明】
【技術分野】
【０００１】
本発明は、眼鏡用として適切なタイプのフレーム上に取り付けられた光電子的表示（ディスプレイ）装置に関する。
【背景技術】
【０００２】
本発明は、超小型（ｍｉｎｉａｔｕｒｅ）スクリーンから発射された画像を形成する、スクリーン画像と呼ばれる光信号を、バーチャル画像を観ることを可能にするようにユーザの目に向かって伝達するように設計された光電子的表示装置に関する。
【０００３】
このような１つの装置が、特許文献１に記載されている。
この文献は、超小型スクリーンの寸法を拡大し、そのバーチャル画像を着用者の眼前に投影するように働く、ホログラム及びプリズムレンズを使用した薄い光ガイドを記載している。
【０００４】
別のタイプの従来技術による装置が、特許文献２に記載されている。
この文献は、上述の従来技術よりさらに薄いビーム拡大光ガイドを記載しており、同様に、超小型スクリーンの画像を無限大に投影することが可能な光学システムを記載している。
【０００５】
これらのシステムの共通点は、超小型スクリーンの画像を拡大する光学的能力の大部分が光ガイドの外側に置かれているということである。これらの装置では光ガイドを薄い厚さに保ちながら、約１５°から３０°より大きい視野を得ることができる。
【０００６】
それにも拘わらず、これらの装置では、超小型スクリーンの寸法が関連する光学システムの寸法を決める際の重要な要素であるので、２０°より大きいこのような視野を得るためには、比較的大容量の光学システム及び超小型スクリーンを備えている。その結果必要な光学的・機械的アセンブリは、例えば眼鏡用レンズに組み込める程度にできるだけ小さく及び細かくすることが望ましい光ガイドの厚さと比べて大きすぎることが分かった。
【０００７】
特許文献３は、超小型スクリーンから発せられた画像を形成する、スクリーン画像と呼ばれる光信号を、バーチャル画像を観ることを可能にするようにユーザの目に向かって伝達する電子的表示装置を開示している。
【０００８】
この装置は、ソース画像を２つのスクリーンサブ画像に分割する装置を有する超小型スクリーン制御装置と、出口用小窓を有し、２つのスクリーンサブ画像を、互いに空間的にずらし（オフセット）、２５ミリ秒（ｍｓ）未満の期間ごとに互いに時間的にシフトして伝達するように働くモザイク装置とを備えている。
【０００９】
各スクリーン画像は、バーチャルサブ画像を観ることを可能にするように着用者の目に向かって伝達され、２つの得られた隣接するバーチャルサブ画像は一緒になって、前記バーチャル画像の全体を形成する。
【先行技術文献】
【特許文献】
【００１０】
【特許文献１】米国特許第７，０６８，４０４号
【特許文献２】ヨーロッパ特許第１，５６６，６８２号
【特許文献３】米国特許出願公開第２００１／００４８５５４号
【発明の概要】
【発明が解決しようとする課題】
【００１１】
本発明の目的は、より小さい寸法の、着用者の眼前にバーチャル画像を生成する光学的・機械的アセンブリを提供することであり、そのために、同程度に比較的小さい寸法であるにも関わらず２０°より大きい拡大視野を保証する超小型スクリーンを提供することである。
【課題を解決するための手段】
【００１２】
この目的を達成するために、本発明は、超小型スクリーンから発射される画像を形成する、スクリーン画像と呼ばれる光信号を、バーチャル画像を観ることを可能にするようにユーザの目に向かって伝達する光電子的表示装置を提供し、この装置は、
ソース画像をＮ個のスクリーンサブ画像に分割する表示制御装置を有する超小型スクリーン制御装置を備えており、且つ、出口用小窓を有し、前記Ｎ個のスクリーンサブ画像を、互いに空間的にずれ、目の網膜の残像時間をＮで割った時間より短い期間ごとに互いに時間的にシフトして伝達するように働くモザイク装置を備えており、各スクリーンサブ画像は、バーチャルサブ画像として観られるように前記出口用小窓を介して着用者の目に向かって伝達され、Ｎ個の得られた隣接するバーチャルサブ画像は一緒になって、前記バーチャル画像を全体として形成し、前記モザイク装置は、偏光制御素子と、バーチャル画像を生成するための、画像の空間的再構成素子とによって構成され、さらに、前記モザイク装置は、可視領域内で透明である材料の光パイプを含み、前記光パイプは前記偏光制御素子と、前記、画像の空間的再構成素子との間に配置されていることを特徴とする。
【００１３】
前記光ガイドの存在により、光経路長さを短くし、従ってシステムをより小型にすることが可能なる。
前記光パイプは、前記超小型スクリーンと偏光制御素子の間に、又は、前記偏光制御素子と、前記、画像の空間的再構成素子の間に配置することができる。
前記光パイプは、前記偏光制御素子と、前記、画像の空間的再構成素子の間に配置されていることが好ましい。
【００１４】
前記モザイク装置は、前記超小型スクリーンと着用者の目の間に配置されていることが好ましい。
有利には、前記、画像の空間的再構成素子は、前記超小型スクリーンのなす平面に垂直な前記超小型スクリーンの中心からの直線であると規定された基準光軸に対して異なる位置にそれぞれ偏心した少なくとも２つのミラーと、少なくとも１つの偏光分離処理板と、少なくとも２つの四分の一波板とを備えている。
【００１５】
前記、画像の空間的再構成素子は、プリズム及び菱面体の一方又は両者の組合わせ、それぞれ基準光軸に対して異なる位置に偏心した球面又は非球面ミラー、偏光分離処理板、グリッド偏光板、及び、四分の一波又は半波板、の一式でできていてもよい。
【００１６】
有利には、前記偏光分離処理板の少なくとも１つはグリッド偏光器である。
【００１７】
有利には、前記、画像の空間的再構成素子は、サブ画像と同じ数、即ちＮ個の、偏心セット球面又は非球面ミラーを有する。
有利には、これらの球面又は非球面ミラーはマンガン（Ｍａｎｇｉｎ）タイプのミラーである。
別の方法では、偏光を制御する第２の素子をモザイク装置に加え、前記、画像の空間的再構成素子のすぐ後の光ビームの経路上に設置できる。
【００１８】
さらに、少なくとも１つの光ガイドを備え、前記光ガイドは、入口用瞳孔を含む瞳孔拡張型光ガイドであり、前記モザイク装置と着用者の目の間に配置されていることが好ましい。
【００１９】
光ガイドは、可視光領域内で透明である材料で作ることができる。
【００２０】
前記光ガイドは、着用者の眼鏡用レンズ内に収容できる。
また、前記モザイク装置からの出口用小窓は、前記光ガイドの入口用瞳孔に対応するように配置できる。
【００２１】
光ガイドは、前記画像の空間的再構成素子とユーザの目の間に配置することができる。
【００２２】
好ましい一実施形態では、Ｎは２であり、前記偏光制御素子は、実質的に前記目の網膜の残像時間をＮで割った時間より短い期間ごとに、Ｐ偏光ベクトル及びＳ偏光ベクトルに合わせて交互に前記超小型スクリーンからの光ビームを偏光させる。
【００２３】
有利には、前記光パイプは、画像の空間的再構成素子が果たす光学的機能の１つを有する面を、少なくとも１つを有する菱面体の形をとることができる。
【００２４】
前記光パイプは、傾斜した偏光分離処理板と、前記偏光分離処理板に関連する２つの四分の一波板であって、前記四分の一波板のなす平面内においてＰ又はＳ偏光ベクトルの方向に対して４５°の角度を形成する遅延軸を備えた四分の一波板とを有することが好ましい。
有利には、前記分離処理板は、前記スクリーンのなす平面に対して垂直な前記超小型スクリーンの中心からの直線であると規定された基準光軸に対して４５°に傾斜しており、２つの四分の一波板は前記基準光軸に対して垂直である。
【００２５】
前記偏光制御素子は、電気制御液晶セルを備えていることが好ましい。
前記超小型スクリーン及び前記偏光制御素子は、単一のアセンブリ部品を形成することができる。
前記バーチャルサブ画像は、インターレース構成であってもよい。
このような状況で、好ましくは、前記偏光制御素子はインターレース電極を有することができる。
有利には、前記超小型スクリーン制御装置は、さらに、前記スクリーンサブ画像の位置を再設定する補償回路を備えており、前記再設定は調節ベンチ上でのキャリブレーションによって規定される。
前記超小型スクリーンは、その上に生成されるスクリーンサブ画像のサイズより大きなサイズの画像を表示できる画素を含んだ領域を呈することができる。
前記超小型スクリーン制御装置は、ソース画像をＮ分割して得た前記スクリーンサブ画像に予めアドレス指定する装置を備えることができる。
有利には、前記補償回路において前記再設定用のデータを記憶するメモリ装置は、冗長性及びエラー修正システムを有する。
【発明の効果】
【００２６】
本発明によれば、超小型スクリーン制御装置がソース画像をＮ分割してＮ個のスクリーンサブ画像とするので、超小型スクリーンのサイズが約１／Ｎになるので、より小さい寸法の、着用者の眼前にバーチャル画像を生成する光電子的表示装置と、そのための、同程度に比較的小さい寸法であるにも拘わらず２０°より大きい拡大視野を保証する超小型スクリーンを提供でき、さらに、その際、超小型スクリーン制御装置がＮ個のスクリーンサブ画像を較正補償するので、得られたＮ個のバーチャルサブ画像がアラインして最終バーチャル画像を与える。
【図面の簡単な説明】
【００２７】
【図１】本発明のモザイク原理を示す。
【図２】（Ａ）は、本発明による表示装置の平面図であり、（Ｂ）は、光線ベースで示した、本発明による画像再組合せの原理を示す。
【図３】（Ａ）及び（Ｂ）は、上から見た、本発明によるモザイク装置３の一実施形態での２つの相互にインターレースした光経路に沿った光線の軌跡を上から見て示し、  （Ａ）は、Ｐ偏光を選択し、その後にモザイク装置からの出口でＳ偏光に変換することに対応しているので、ＰＳ経路と呼ばれる経路内の軌跡を示し、  （Ｂ）は、Ｓ偏光を選択し、その後にモザイク装置からの出口でＰ偏光に変換することに対応しているので、ＳＰ経路と呼ばれる経路内の軌跡を示している。
【図４】図３（Ａ）及び（Ｂ）に示したミラーを偏心してある原理を示す展開図である。
【図５】（Ａ）及び（Ｂ）は、ミラーの偏心に伴う製造誤差によってバーチャル画像内に生成される欠陥を示す図である。
【図６】（Ａ）及び（Ｂ）は、本発明による超小型スクリーンの面図である。
【図７】本発明による調節ベンチを示す。
【図８】本発明による調節ベンチのカメラによって見られる試験パターンを示す。
【図９】（Ａ）及び（Ｂ）は、スクリーンサブ画像を再設定する処理を示す、調節ベンチのカメラによってとられたバーチャルサブ画像の図である。
【図１０】本発明によるスクリーンサブ画像の再設定用のデータを得る方法を示す。
【図１１】本発明による表示装置の、電子系の一般的アーキテクチャ、及び動作原理を示す。
【図１２】本発明による偏光制御素子及び超小型スクリーンに関する、第１の変更実施形態の断面図である。
【図１３】本発明による偏光制御素子及び超小型スクリーンに関する、第２の変更実施形態の断面図である。
【図１４】本発明による偏光制御素子及び超小型スクリーンに関する、第３の変更実施形態の断面図である。
【図１５】本発明による偏光制御素子及び超小型スクリーンに関する、第４の変更実施形態の断面図である。
【図１６】本発明による改良した偏光制御装置の平面図である。
【図１７】図１６に示した改良した偏光制御装置の制御信号を示すグラフである。
【図１８】本発明に適合する２種類つの色画素配置構造を示す。
【発明を実施するための形態】
【００２８】
本発明を、本発明の好ましい実施形態を単に示す図面の助けをかりて、以下により詳細に説明する。
【００２９】
モザイク原理は、図１に示してあるように、大きなサイズの画像をより小さい個別のサブ画像から再生成することにある。大きなサイズのバーチャル画像Ｉを観ることができるように、本発明は、バーチャル画像Ｉを、一緒になって完全に形成する隣り合ったＮ個のバーチャルサブ画像ＩＮ、ここでは４つのバーチャルサブ画像Ｉ１からＩ４を表示することを提案している。
【００３０】
これを行なうために、本発明は図２Ａに示すような表示装置を提案している。
この光電子的表示装置は、超小型スクリーン２から発射される画像を形成する、スクリーン画像と呼ばれる光信号を、入口表面１Ａと呼ばれるその端部の一方から出口表面１Ｂと呼ばれるそのもう一端部まで伝達し、バーチャル画像Ｉを観るためにユーザの目‘Ｏ（オー）’に転送する光ガイド１を備えている。
【００３１】
本発明は、装置がこのような光ガイドを備えているかどうかに拘わらず、光ビームを拡張させる装置を備えたこのタイプのあらゆる光電子的表示装置に適用される。
【００３２】
超小型スクリーン２を制御する装置（後述する超小型スクリーン制御装置ＤＣ）は、ビデオリーダなどのソースによって提供されるソース画像を例えばＮ個のスクリーンサブ画像に分割する装置を備えており、目の網膜の残像時間をＮで割った時間より短い期間τ内に互いに時間的にシフト（ｓｈｉｆｔ）して、このＮ個のスクリーンサブ画像を相互に空間的にずらして（オフセット）運ぶ「モザイク」装置３を備えており、各スクリーンサブ画像はバーチャルサブ画像ＩＮを観るために着用者の目に運ばれ、Ｎ個の得られたバーチャルサブ画像は互いに隣接しており、一緒になってバーチャル画像Ｉを完全に形成する。モザイク装置３は、超小型スクリーン２と光ガイド１の間に配置されている。
【００３３】
光ガイド１は、出口用瞳孔拡張型であり、ガイドの入口表面１Ａに対応しモザイク装置３によって発せられた光ビームを結合する入口領域によって構成された入口用瞳孔ＬＥと、着用者の目に面して配置された出口用瞳孔ＬＳとを備えている。
【００３４】
この瞳孔拡張型の光ガイドは、着用者の眼鏡用レンズＶ内に収容できる。
超小型スクリーン２及びモザイク光学装置３は、例えばスナップ締め付けを使用した解放可能な接続装置によって、眼鏡用レンズに連結されたハウジング４内に収容されていることが好ましい。
【００３５】
超小型スクリーン２上の画素数と全体バーチャル画像Ｉ内の画素数には直接的な関係がある。
ＮＩｖ及びＮＩｈはバーチャル画像全体における各々、行数と等しい垂直方向の画素数、及び列数と等しい水平方向の画素数であり、ＮＤｖ及びＮＤｈは超小型スクリーンにおける各々、行数と等しい垂直方向の画素数、及び列数と等しい水平方向の画素数であるとすると、以下のような２つの整数Ｋｖ及びＫｈがある。
【００３６】
ＮＩｖ  ＝  Ｋｖ  ×  ＮＤｖ
ＮＩｈ  ＝  Ｋｈ  ×  ＮＤｈ
Ｋｈ  ×  Ｋｖ  ＝  ＮＴ
【００３７】
画像のより高度なモザイク方向は、パーティションの数Ｋｖ、Ｋｈがより大きい方向である。即ち、Ｋｈ＞Ｋｖである場合水平であり、Ｋｖ＞Ｋｈである場合垂直であり、Ｋｈ＝Ｋｖである場合中立である。
【００３８】
普通、時間的構成形状（ｔｅｍｐｏｒａｌ＿ｇｅｏｍｅｔｒｙ）を備えたシステムでは、水平モザイク方向を有することがより有利である。上方からの挿入のあるシステムでは、垂直モザイク方向を有することがより有利である。
【００３９】
これらのバーチャルサブ（以下、単にサブ画像という）画像は、時間と共に順に表示される。例えば図１では、全バーチャル画像（以下、単に画像という）Ｉを表示するために、バーチャルサブ画像Ｉ１が最初に表示され、その後、サブ画像Ｉ２、サブ画像Ｉ３、最終的にサブ画像Ｉ４が表示され、その後に、同じシーケンス内で新しいサブ画像を表示することによって第２の全画像が開始する。
【００４０】
Ｎは、全画像Ｉを作るサブ画像の数である。
ユーザの観点から、１つの画像だけが脳によって認知されることを保証するために、画像全体を網膜受容体のリフレッシュ周波数Ｆ０より大きい周波数、すなわち２５ヘルツ（Ｈｚ）でリフレッシュする必要がある。
【００４１】
さらに、ビデオ信号に作用する多くの応用例では、画像全体のリフレッシュ周波数はＦ０より高い。より高いリフレッシュ周波数の利点は、画像フリッカの影響を少なくし、それによって目にあまり疲労を与えないことによって表示快適性を改善させることである。
【００４２】
時間系列スキャンのこの例では、Ｆが画像全体の周波数である場合、各サブ画像ＩＮのリフレッシュ周波数はＮｘＦである。
これは、各サブ画像に対して、サブ画像の個別のリフレッシュ周波数はＮ×Ｆ０＝Ｎ×２５ヘルツ以上である必要があり、画像フリッカを小さくすることが望ましい場合、テレビ応用例で使用される５０ヘルツ又は１００ヘルツ、あるいはコンピュータ応用例で使用される７５ヘルツの周波数に対して、各々Ｎ×５０ヘルツ、Ｎ×１００ヘルツ、又はＮ×７５ヘルツである必要がある。
【００４３】
以下に、Ｎは、水平方向に隣接している２つのサブ画像でできたモザイクに対応し、Ｎ＝２であると仮定する。
このような状況で、例として、ＶＧＡ品質、すなわち６４０×４８０画素の最終バーチャル画像Ｉを作り出すことが望ましい場合、３２０×４８０画素を有する超小型スクリーン２が使用される。
【００４４】
図２Ｂは、２つのバーチャルサブ画像Ｉ１及びＩ２を並列させることによってバーチャル画像Ｉを形成する光線の軌跡を図示している。この図は、サブ画像を横に並列させることを可能にする、モザイク装置からの光線経路の原理を示している。
【００４５】
図３Ａ及びＢは、上記原理を実施することを可能にする、モザイク装置３の一実施形態を示している。
モザイク装置３は、Ｐ偏光及びＳ偏光の間で実質的に期間τごとに交互するように、出口での偏光を制御する偏光制御素子５によって構成され、有利には、画像の空間的再構成素子７に向かって光ビームを伝える光を伝播させるための光パイプ６を備えており、この装置は、光ガイド１に向かう出口用小窓１０を通してサブ画像に対応する前記ビームの位置を空間的に再組合せする。
【００４６】
偏光制御素子５と、画像の空間的再構成素子７の間の光パイプの使用は任意であるが、利点がある。これにより、光経路の物理的長さを短くし、従ってシステムをより小型にすることが可能になる。有利には、画像の空間的再構成素子を埋め込む、菱面体（ｒｈｏｍｂｏｈｅｄｒａｌ）形状を与え、面の一部に画像の空間的再構成素子の機能の一部を持たせることができる。
【００４７】
従って、光パイプ６は、傾斜した偏光分離処理板７Ａと、これに関連する、入射するＰ又はＳ偏光の基準方向に対して４５°の角度になるように配置された遅延軸を備えた２つの四分の一波板７Ｂ及び７Ｃと、光軸に対して意図的に偏心（ｏｆｆ−ｃｅｎｔｅｒ）してある２つのマンガン（Ｍａｎｇｉｎ）ミラー７Ｄ及び７Ｅとを有する。
【００４８】
光軸は、超小型スクリーンの有用な画像表示区域の中心を通して通過する軸であり、それと垂直であるように規定されている。光経路が、例えばパッキング又は他の理由のためにミラーを使用することによって折り畳まれる場合、「光軸」という用語は、ミラー上の前記反射による前記直線のあらゆる変化に係る延長部を含むと考えられたい。
【００４９】
図示した実施形態では、Ｐ偏光を伝達し、Ｓ偏光を反射させる分離処理板７Ａは、光軸に対して４５°で傾斜し、光パイプ６の傾斜面上に配置されており、２つの四分の一波板７Ｂ及び７Ｃは互いに垂直であり、前記分離処理板と位置合わせして配置され、一方の四分の一波板７Ｂは光パイプ６の端部にあり、もう一方はその長手面上にある。
有利には、ミラー７Ｄ及び７Ｅはマンガンミラーであり、それによって接着剤を使用して自己支持アセンブリを提供することが可能になる。四分の一波板は普通、プラスチックフィルムであり、従って四分の一波板が２つの精密表面加工された光学的表面の間で接着結合された配置は、平坦性を保証する利点を示す。
【００５０】
超小型スクリーン２は、偏光を直接発射できる場合もある。偏光を発射できない場合、偏光器がその発射面に付加される。
偏光制御素子５は、超小型スクリーンから入射する光の偏光を変更し、分離処理板７Ａ上の入射角度に対してＰ又はＳ偏光に変換するように働く。
【００５１】
動作原理は以下の通りである。偏光制御素子５により、超小型スクリーン２からの偏光は、Ｐ偏光とＳ偏光の間で交互となるように変換される。
【００５２】
Ｐ偏光が選択された場合、図３Ａに示すように、光は分離処理板７Ａを通過し、その後、ＰＳ経路の四分の一波板７Ｂに衝突する。この板の軸は、Ｐ偏光の基準方向に対して４５°の角度になるよう配置される。四分の一波板７Ｂから出る光は従って、円形状に偏光される。その後、ＰＳ経路のミラー７Ｄ上で反射され、ＰＳ経路の四分の一波板７Ｂを通過して戻る。この通過の後、直線偏光であるが、初期方向と垂直な方向の偏光に変換され、即ち、Ｓ偏光として分離処理板７に入射し、従ってモザイク光学システムの出口用小窓１０に向かって分離処理板７Ａによって反射される。この光ビーム経路は、かくしてＰＳ経路と呼ばれる。
【００５３】
逆に、Ｓ偏光が偏光制御素子によって選択された場合、図３Ｂに示すように、光は分離処理板７Ａ上で反射され、その後、ＳＰ経路の四分の一波板７Ｃに衝突する。この板の軸は、Ｓ偏光の基準方向に対して４５°の角度になるよう配置されている。四分の一波板７Ｃから出る光は従って、円形状に偏光される。その後、ＳＰ経路のミラー７上で反射され、ＳＰ経路の四分の一波板７Ｃを通過して戻る。この通過の後、直線偏光であるが、その初期方向と垂直な方向の偏光に変換され、即ち、Ｐ偏光として分離処理板７Ａ上に入射し、従ってモザイク光学システムの出口用小窓１０に向かって分離処理板７Ａを通して伝達される。この光ビーム経路は、かくしてＳＰ経路と呼ばれる。
【００５４】
互いにずれている２つの画像を生成するために、ＰＳ経路のマンガンミラー７Ｄ及びＳＰ経路のマンガンミラー７Ｅの回転の中心は、超小型スクリーン２の画像の実働（ｗｏｒｋｉｎｇ）領域ＺＵのサイズの半分の量だけ光軸から偏心して（ｏｆｆｓｅｔ）おり、それぞれ異なる方向に偏心している。これらのミラーは、図４に展開して示してある。
【００５５】
このように、各経路は、実働領域のサイズのちょうど半分だけずれているサブ画像を生成する。
有利には、システムの出口用小窓１０は、光ガイド１の入口用瞳孔ＬＥに対応している。
【００５６】
実際には、完璧なシステムを製造することは不可能であり、２つのミラーの偏心量は、絶対値で正確に同一ではなく、超小型スクリーン２のサイズの半分であると前以って設定され、それと知られている値と正確に同一ではない。
【００５７】
これは、部品製造の誤差によるものである。それにも拘わらず、これらのエラーは、各個別の部品に対する許容範囲内に収められる可能性があり、システム規模で全体的考慮の対象とすればよい。
【００５８】
このような製造誤差によって生じる欠点は以下の通りである。
（１）  ２つのサブ画像が、図５Ａに示すように、モザイク画像の中心で分離してしまう。
（２）  各サブ画像が、図５Ｂに示すように、それぞれ独自の異なる方向に回転してしまう。
【００５９】
これらの欠点を修正するために、図６Ａに示すように、画像を表示する際に使用するための画素を含む領域のサイズが実際に生成されるスクリーンサブ画像ＩＥのサイズより大きい超小型スクリーン２が使用される。
【００６０】
図６Ｂに示すように、追加の画素は、能動（ａｃｔｉｖｅ）表面上で画像領域を移動させるのに使用される。従って、超小型スクリーン２によって生成されるスクリーンサブ画像ＩＥは、スクリーン自体を物理的に移動させることなく平行移動及び／又は回転移動できる。
【００６１】
スクリーン画像の表示上のずれ（平行移動）量及び回転移動量は、超小型スクリーン２のドライバ電子回路（後述する超小型スクリーン制御装置ＤＣ）によって制御される。これら２つの量は、製造欠陥によって引き起こされる、ずれ及び回転効果を補償するように計算される。図７に示すように、テストベンチＢ上の単純な調節手続を使用して、これらのパラメータを決定できる。
即ち、カメラＣを使用して、画像の空間的再構成素子７からの出口で与えられた画像を観察することにより、得られた２つのサブ画像を捕捉できる。各サブ画像は図８に示すように、再設定テストパターンＭを表示する。例として、このパターンＭは３つの十字、即ち左縁部十字、右縁部十字、及び中心十字を備えている。
【００６２】
その後、能動領域上の中心位置内に表示したパターンＭは、最初に、画像の空間的再構成素子７のＰＳ経路ｖ１を介して、次に、画像の空間的再構成素子７のＳＰ経路ｖ２を介して、共通カメラ画像上で画像化される。
【００６３】
再設定用カメラＣの特性、特に使用中の構成における横倍率が知られていなければならない。この倍率値は、当業者によって容易に決定される。場合によっては、垂直横倍率、及びこれと同一ではない水平横倍率を考慮に入れることができる。それにも関わらず、実際上カメラの品質は優れており、これら２つの倍率は極めて近く、同一であると考えることができる。この倍率を、ＧｙＣＡＭとする。ＧｙＣＡＭは、カメラＣの検出面内の超小型スクリーン２上の画素の画像のサイズと、その実際のサイズとの比率を示している。
【００６４】
超小型スクリーン２の画素の実際のサイズを示すのにピッチ＿μｄが使用され、カメラＣの画素の実際のサイズを示すのにピッチ＿ｃａｍが使用されている場合、以下のように、超小型スクリーン上に表示されるスクリーン画像とカメラによって検出されるその画像の「画素倍率」Ｇ＿ｐｉｘｅｌを規定することが可能である。
Ｇ＿ｐｉｘｅｌ  ＝  （ｐｉｔｃｈ＿μｄ）×（ＧｙＣＡＭ）／（ｐｉｔｃｈ＿ｃａｍ）
【００６５】
この値は、カメラ画素の意味で示した場合の、超小型スクリーン画素の画像のサイズを示している。
当業者に知られている方法によってキャリブレーションする必要がある。
これにより、図９Ａに示すように、カメラ上に画像が生成される。
【００６６】
画像を再設定する１つの方法は以下の通りである。
ＳＰ及びＰＳ経路による画像から始めて、点ＰＳＰは、ＰＳ画像に最も近い十字のカメラ上の画像であると規定され、点ＰＰＳでは逆である。これらの２つの画像を再設定するためには、点ＰＳＰ及びＰＰＳを一致させ、ベクトルＶＳＰ及びＶＰＳを同一直線にすればよい。
【００６７】
３つの十字（左縁部十字、右縁部十字、及び中心十字）の中心を手動で、又は自動検出のいずれかで捕捉することによって、取得カメラＣ内の画像の画素座標によって構成された基準のフレーム内で、ＰＳ及びＳＰ画像に対する水平ベクトルＶＳＰ及びＶＰＳをそれぞれ規定することが可能である。
【００６８】
サブ画像の水平ベクトルは、左縁部十字及び右縁部十字を相互接続するベクトルであるとして規定されている。
カメラの画素によって構成される基準のフレームの水平軸に対するこれらのベクトルのそれぞれの角度を、こうして単純に算出できる。これらの角度は、α＿ＳＰ及びα＿ＰＳと書かれる。
【００６９】
その後、各ＳＰ及びＰＳサブ画像では、点ＰＳＰ及びＰＰＳの位置が算出され、この位置は画像の座標空間では（ｘ＿ＳＰ，  ｙ＿ＳＰ）及び（ｘ＿ＰＳ，  ｙ＿ＰＳ）と書かれる。
【００７０】
１つの提案された方法は、点ＰＳＰ上に点ＰＰＳを再設定し、水平ベクトルＶＳＰと同一直線にするように水平ベクトルＶＰＳを変更することである。
【００７１】
これは、ＳＰサブ画像を、点ＰＰＳを中心として角度（α＿ＳＰ  −  α＿ＰＳ）だけ回転し、その後、超小型スクリーン２の空間内で最終的に算出されるベクトル（（ｘ＿ＳＰ  −  ｘ＿ＰＳ），  （ｙ＿ＳＰ  −  ｙ＿ＰＳ））によって平行移動することによって行われる。超小型スクリーン２及び、画像の空間的再構成素子７によって形成された光学システムの倍率、及びカメラＣの倍率の標示によって、数式は様々な形を有することができるが、常に、左縁部十字又は右縁部十字のいずれかを中心とする角度±（α＿ＳＰ−α＿ＰＳ）だけの回転と、次のベクトルＶｄによる平行移動と、の組合せに帰着する。
Ｖｄ  ＝  ±（（ｘ＿ＳＰ  −  ｘ＿ＰＳ），  （ｙ＿ＳＰ  −  ｙ＿ＰＳ））／（Ｇ＿ｐｉｘｅｌ）
【００７２】
これにより、図９Ｂに示すように、ＳＰ及びＰＳ経路からの再設定された２つのサブ画像を重ね合わせた形で、カメラによって供給された画像が作り出される。
【００７３】
光学システムの精度許容範囲は高いので、所望の画像サイズに対する超小型スクリーン上の能動領域の幅を使って、全ての条件下でＰＳ画像に対してＳＰ画像を再設定することが可能になる。
【００７４】
他のタイプの再設定方法も使用できる。例えば、水平ベクトルＶＰＳ及び水平ベクトルＶＳＰが再設定されるべき新しい共通軸に平行な軸として、カメラＣの水平画素軸を、又は、眼鏡用フレームに関連する外部基準水平軸を何らかの適当な方法によって識別して、又は、実際に磨耗した情報レンズの水平軸を別の何らかの適当な方法によって識別して、各々、選ぶ。
これは、選んだ軸が最終システム内で代表軸であるようにカメラをキャリブレーションすることを意味している。
【００７５】
ＳＰ及びＰＳ経路の画像の再設定用のデータ、即ち、上述の回転角及び平行移動ベクトルを得るステップは、図１０に示すように、適切な光学・電子ベンチＢを利用するキャリブレーションステップ中に行なわれる。
超小型スクリーン制御装置ＤＣは、その表示制御装置ＤＣＡ内で、ソースから画像を受ける。この画像は、同じ方法で処理される２つのサブ画像に分割される。
【００７６】
補償回路ＣＣは、再設定ベンチＢからコンピュータによって算出され、電子的にゼロに再設定できる再設定用のデータを受ける。
補償回路ＣＣは、表示制御装置ＤＣＡに伝達されたサブ画像データを修正し、その再設定されたサブ画像を超小型スクリーン２から発射する。
【００７７】
図１１は、サブ画像を超小型スクリーン上に表示する際の、電子系の一般的アーキテクチャ、及び動作原理を示している。
ソース画像は、超小型スクリーン制御装置ＤＣの表示制御装置ＤＣＡに伝達される。このソース画像は復号化され、クロックを介して予めアドレス指定された２つのスクリーンサブ画像に分割される。
【００７８】
超小型スクリーン制御装置ＤＣの補償回路ＣＣは、再設定ベンチＢから上述のようにして得た再設定用データを記憶しており、このデータをモザイク回路に伝達し、モザイク回路は表示制御装置ＤＣＡからサブ画像を受け、クロックを介してスクリーンサブ画像を再設定用データにより最終処理する。
【００７９】
有利には、スクリーンサブ画像再設定用データを記憶するメモリは冗長性があり、ロバスト性を改善するためのエラー修正システムを有する。
偏光制御装置５の制御はクロックと同期し、それによってＰとＳ偏光の交替は、各々のサブ画像が表示される時間と同期する。
【００８０】
かくして超小型スクリーン制御装置ＤＣは、目の網膜の残像時間の２分の１より短い表示期間の各スクリーンサブ画像を再設定し、２つのスクリーンサブ画像各々の表示期間は（１／５０）秒より小さい。
【００８１】
また上に記載したように、モザイク光学装置３は、超小型スクリーン２に面して配置され、Ｐ偏光及びＳ偏光を実質的に期間τごとに交互に通過する偏光制御素子５を有する。この装置のいくつかの実施形態を、図１２から１４に示す。
【００８２】
偏光制御素子５は、電気制御液晶セルを備えていることが好ましい。
超小型スクリーン２は、非偏光光を作り出すタイプ、又は偏光光を作り出すタイプであってもよい。
【００８３】
図１２は、非偏光光を作り出す超小型スクリーン２を示している。
偏光制御素子５はこの場合、偏光層５Ａと、第１の支持ガラス層５Ｂと、第１のインジウムスズ酸化物層５Ｃと、ガラスビーズ（ｂｅａｄｓ）５Ｅによって構成されたスペーサによって支持された液晶層５Ｄと、第２のインジウムスズ酸化物層５Ｆと、第２の支持ガラス層５Ｇと、保護コーティング層５Ｈ（これは任意）とを重畳して備えている。
【００８４】
液晶セルは、両インジウムスズ酸化物層の端子に加えられる電気制御信号の関数として、０又は（π／２）の位相シフトを作り出すように設計されている。
偏光制御素子５からの出力として、偏光は、加えられた制御信号Ｖｃによって決まる２つの相互に垂直な方向の偏光が得られる。
【００８５】
普通は、液晶の分野での現在の技術では、デジタル範囲（０から５ボルト（Ｖ））の制御電圧でセルを制御することが可能である。制御電圧ＶＯｎ  ＝  ０Ｖ及びＶＯｆｆ  ＝  ５Ｖは現実的な値であると言える。
【００８６】
例えば、ＶＯｎが偏光制御装置を介して加えられると、入射偏光は９０°だけ旋回され、ＶＯｆｆが加えられると、入射偏光は変化しないままである。
超小型スクリーン２と偏光制御装置５の間の距離は、できるだけ小さい。
【００８７】
また、図１３に示すように、これらの２つの素子を接触させることも可能である。
これらの２つの素子２と５は、ここでは互いに接触しており、偏光制御素子５の能動領域のサイズはこの場合、適切な許容安全マージンを備えて、サブ画像を生成する超小型スクリーン２の能動領域のサイズと等しい。
２つの素子を接触させる利点は、システムをよりコンパクトにすることである。
【００８８】
図１２及び１３に示す偏光層５Ａは元々、偏光制御素子５上にある代わりに、超小型スクリーン２上にあっても全体の動作に影響を与えない。
【００８９】
即ち、図１４は、偏光を発生する超小型スクリーン２を示している。
この超小型スクリーン２は、当業者によく知られている様々なアーキテクチャから選択された液晶（ＬＣＤ）スクリーンによって構成されている。従って、この場合、偏光制御素子５の偏光層５Ａは不要である。というのは、既にＬＣＤスクリーン上に存在するからである。
【００９０】
最も難しいステップは、偏光制御素子５のセルの液晶軸と偏光層２Ａを位置合わせ（アライン）することであるので、ＬＣＤスクリーン２及び偏光制御装置５を備えた単一のアセンブリを製造することが適当であり、このような製造は順次同じ技術を適用して、単一の製造ラインで行なうことができる。
【００９１】
超小型スクリーン２が青Ｂ、赤Ｒ、及び緑Ｇの色のフィルタを有するような変更形態を、図１５に示す。
光エミッタＥに面して、超小型スクリーン２及び偏光制御素子５からなるアセンブリが配置されている。
【００９２】
超小型スクリーン２は、偏光層２Ｂと、ガラススラブ（ｓｌａｂ）層２Ｃと、データ行（ｒｏｗ）層２Ｄと、アライメント層２Ｅと、ガラスビーズ２Ｇによって構成されたスペーサによって支持された液晶層２Ｆと、アライメント層２Ｈと、インジウムスズ酸化物層２Ｉと、Ｂ、Ｒ、Ｇ色フィルタのセットと、ガラススラブ２Ｊと、偏光層２Ａとを備えている。
この場合、偏光制御素子５は、上記の通り、偏光層なしで作られている。
【００９３】
偏光制御素子上にインターレース構成を形成することからなる改良を行なうことができる。
この改良を、図１６及び１７に示す。
【００９４】
上記の全表面（即ち、インターレースしない）構成は、作るのが容易であり、従って安価であるという利点を有する。
それにも関わらず、得られる画像内のフリッカに特に敏感である可能性がある。インターレース幾何（構成形状）は、作るのが少し複雑であるが、フリッカに対する敏感性を抑制できる。
【００９５】
偏光制御装置５上のインターレース電極の幾何は原理的には、ＳＰ経路ｖ１上の１つおきの列又は行を同時に表示することからなり、他の一連の列又は行はＰＳ経路ｖ２上に表示される。従って、図１６に示すように、上述の第２のインジウムスズ酸化物層５Ｆは、２つのインターレースされた櫛状の２つの電極Ｅ１及びＥ２からなる。櫛状の各々の電極の枝は、共通ラインによって互いに連結され、同時に活性化される。
電極は、サブ画像を発する超小型スクリーン２の画素上で正確に位置合わせされている。
【００９６】
制御信号Ｖ１及びＶ２は、画像に対して選択されたリフレッシュ周波数と等しい周波数の周期的矩形波であり、各々、等しい持続期間で制御電圧ＶＯｎとＶＯｆｆを交替し、位相が反対である。
インターレースがクロック周波数を二倍にすることに注意すべきである。
【００９７】
インジウムスズ酸化物層５Ｆの両電極Ｅ１及びＥ２の端子に加えられる制御信号Ｖ１及びＶ２を、図１７に示しており、スクリーンサブ画像を生成する超小型スクリーン２からの出口での偏光層２Ａの方向は、画像の空間的再構成素子７の偏光分離処理板７Ａを含む立方体の入射Ｓと平行に配置される。偏光制御素子５の液晶層５Ｄは、通常は白のツイストネマティック（ＴＮ）クリスタルである。これにより、ＶＯｎ  ＝  ０Ｖとなる。
【００９８】
インターレーススキャンを適用した偏光制御素子５を使用する場合、列又は行電極Ｅ１、Ｅ２を色画素と位置合わせすることが極めて重要であることに注意することが重要である。
色フィルタを有する超小型ＬＣＤスクリーンでは、図１８に示すように、適当なサブ画像構造を利用すると有利になる場合がある。
【００９９】
この図の左側では、インターレース電極に対して位置合わせして配置された、赤画素ＰＲ、緑画素ＰＧ、及び青画素ＰＢの第１の構造を示している。
図１８の右側では、インターレース電極に対して位置合わせされた四角形として編成された画素の各シーケンス内に白（ブランク）画素を含む第２の画素構造を示している。
【０１００】
本発明は、単眼表示装置、及び双眼表示装置に同様に十分適用可能である。
本実施形態は、ソース画像を２つのスクリーン画像に分割する超小型スクリーン制御装置（ＤＣ）と、これらの２つのスクリーン画像を空間的に互いにずれ、目の網膜の残像時間を２で割った時間より短い時間内に互いに時間的にシフトして運ぶモザイク装置（３）とを含む、光電子的表示装置に関し、各スクリーン画像はバーチャルサブ画像を観るために着用者の目に向かって運ばれ、２つの得られた隣接するバーチャルサブ画像は一緒になって、前記バーチャル画像を全体として形成している。
しかしながら、本発明はまたＮ個（Ｎ＞２）のサブ画像を有するこのような装置に適用される。
【０１０１】
このような状況下では、前記モザイク装置（３）に含まれる、画像の空間的再構成素子（７）は、前記超小型スクリーンのなす平面に垂直な前記超小型スクリーンの中心からの直線であると規定された基準光軸に対して、それぞれ異なる位置に偏心している少なくともＮ個のミラー、並びに、複数個の偏光分離処理板及びＮ個の波分割板を備えている。
【０１０２】
前記、画像の空間的再構成素子は、例えば、（１）プリズム及び／又は菱面体、（２）基準光軸に対してそれぞれ異なる距離だけで偏心している球面又は非面ミラー、（３）偏光分離処理板、及び（４）四分の一波又は半波板、の一式から構成される。
【０１０３】
有利には、前記、画像の空間的再構成素子は、サブ画像と同じ数、即ちＮ個の球面又は非球面の偏心ミラーを有する。
有利には、これらの球面又は非球面ミラーはマンガン（Ｍａｎｇｉｎ）タイプのミラーである。
【０１０４】
別の方法では、第２の偏光制御素子をモザイク装置に加え、画像の空間的再構成素子のすぐ後の光ビームの経路上に設置できる。
【符号の説明】
【０１０５】
１    光ガイド
１Ａ    入口表面
ＬＥ    入口用瞳孔
１Ｂ    出口表面
ＬＳ    出口用瞳孔
２    超小型（液晶、ＬＣＤ）スクリーン
２Ａ、２Ｂ    偏光層
２Ｃ、２Ｊ    グラススラブ（ｓｌａｂ）層
２Ｄ    データ行（ｒｏｗ）層
２Ｅ    アライメント層
２Ｆ    液晶層
２Ｇ    ガラスビーズ
２Ｈ    アライメント層
２Ｉ    インジウムスズ酸化物層
ＺＵ    実働領域
３    モザイク（光学）装置
４    ハウジング
５    偏光制御素子
５Ａ    偏光層
５Ｂ、５Ｇ    第１、第２の支持ガラス層
５Ｃ、５Ｆ    第１、第２のインジウムスズ酸化物層
５Ｄ    液晶層
５Ｅ    ガラスビーズ（ｂｅａｄｓ）
５Ｈ    保護コーティング層
６    光パイプ
７    画像の空間的再構成素子
７Ａ    偏光分離処理板
７Ｂ、７Ｃ    四分の一波板
７Ｄ、７Ｅ    マンガン（Ｍａｎｇｉｎ）ミラー
１０    出口用小窓
Ｂ    調節（テスト、再設定、光学・電子）ベンチ
Ｃ    カメラ
ＣＣ    補償回路
ＤＣ    超小型スクリーン制御装置
ＤＣＡ    表示制御装置
Ｅ１、Ｅ２    （櫛状の）電極
Ｉ    （全体）バーチャル画像
ＩＮ    バーチャルサブ画像
ＩＥ    スクリーン画像
Ｏ    着用者（ユーザ）の目
Ｖ    眼鏡用レンズ
ＶＯｎ、ＶＯｆｆ    制御電圧
ＶＰＳ、ＶＳＰ、Ｖｄ    ベクトル
Ｖｃ、Ｖ１、Ｖ２    制御信号
ｖ１    ＰＳ経路
ｖ２    ＳＰ経路
τ    目の網膜の残像時間をＮで割った時間より短い期間
【図１】
2010510551.tif 000003
【図２】
2010510551.tif 000004
【図３】
2010510551.tif 000005
【図４】
2010510551.tif 000006
【図５】
2010510551.tif 000007
【図６】
2010510551.tif 000008
【図７】
2010510551.tif 000009
【図８】
2010510551.tif 000010
【図９】
2010510551.tif 000011
【図１０】
2010510551.tif 000012
【図１１】
2010510551.tif 000013
【図１２】
2010510551.tif 000014
【図１３】
2010510551.tif 000015
【図１４】
2010510551.tif 000016
【図１５】
2010510551.tif 000017
【図１６】
2010510551.tif 000018
【図１７】
2010510551.tif 000019
【図１８】
2010510551.tif 000020
【国際調査報告】
2010510551.tif 000021
2010510551.tif 000022
2010510551.tif 000023
2010510551.tif 000024
2010510551.tif 000025
2010510551.tif 000026